【事件の表示】
　特許第３４４２７５０号に関する訂正審判事件について、次のとおり審決する。
【結　論】
　本件審判の請求は、成り立たない。
【理　由】
第１．手続の経緯
　特許第３４４２７５０号の発明は、平成３年７月１５日に出願した特願平３−１７２９２１号の一部を平成１３年５月２８日に新たな特許出願としたものであって、平成１５年６月２０日にその特許権の設定登録がなされ、特許異議の申立てがなされ、平成１６年４月２７日付けで取消理由が通知され、平成１６年７月１２日に訂正請求がなされたものの平成１６年１０月２７日付けで本件の請求項１ないし５に係る発明の特許を取り消すとの異議の決定がなされ、この決定に対して、平成１６年１２月１７日に決定取消を求める訴え（平成１７（行ケ）１０３５７号（平成１６（行ケ）５５０号））が東京高等裁判所になされるとともに、平成１７年３月１６日に本件訂正審判の請求がなされ、平成１７年４月１５日付けで訂正拒絶理由の通知がなされ、平成１７年５月２０日付けで意見書が提出されたものである。
　
第２．請求の要旨・訂正の内容
　本件審判の請求の要旨は、特許第３４４２７５０号の明細書を審判請求書に添付した訂正明細書のとおり訂正することを求めるものであり、その訂正事項の内容は以下のとおりのものである。
１．訂正の内容
（１）特許請求の範囲の請求項１について
　訂正事項ａ 
 　本件特許明細書の特許請求の範囲の請求項１における「入力されたメロディを複数記憶する記憶手段」を、「固定メロディと前記入力手段により入力されたメロディとをそれぞれ複数記憶する記憶手段」と訂正する。
　訂正事項ｂ 
　本件特許明細書の特許請求の範囲の請求項１における「送信側識別番号と任意に選択されたメロディとを１対１に対応付けて複数記憶可能な対応テーブル」を、「送信側識別番号と前記固定メロディ及び前記入力されたメロディから任意に選択されたメロディとを１対１に対応付けて複数記憶可能な対応テーブル」と訂正する。
　訂正事項ｃ 
　本件特許明細書の特許請求の範囲の請求項１における「前記メロディ入力手段により入力されたメロディを前記記憶手段に記憶する際に、該メロディを再生させる」を、「前記メロディ入力手段により複数の音からなる一つのメロディの入力が終了したら該メロディをその記憶可否のために再生し、前記対応テーブルへの記憶の際には、前記送信側識別番号の指定とメロディの選択が終了したら、選択されたメロディを前記再生手段により再生させ、再生されたメロディが所望のメロディでなかった場合には、前記送信側識別番号の再指定がされることなくメロディの選択に移る」と訂正する。
　
（２）特許請求の範囲の請求項５について
　訂正事項ｄ
 　本件特許明細書の特許請求の範囲の請求項５を削除する。 
 　　　　 
（３）発明の詳細な説明について
　訂正事項ｅ 
 　本件特許明細書の段落番号【０００７】の記載について、
「一方、自動発呼による電話連絡に関しては、送信側において送信時に連絡先を登録しなければならず、また送信側からの自動発呼は、遠距離間で自動発呼する場合に連絡のための電話料金が高騰するという問題があった。
　そこで、請求項１に係わる発明は、外部から任意のメロディを入力するためのメロディ入力手段と、固定メロディと前記入力手段により入力されたメロディとをそれぞれ複数記憶する記憶手段と、送信側識別番号と前記固定メロディ及び前記入力されたメロディから任意に選択されたメロディとを１対１に対応付けて複数記憶可能な対応テーブルと、受信した送信側識別情報に対応するメロディを前記記憶手段から読み出して再生する再生手段とを備え、前記メロディ入力手段により複数の音からなる一つのメロディの入力が終了したら該メロディをその記憶可否のために再生し、
前記対応テーブルへの記憶の際には、前記送信側識別番号の指定とメロディの選択が終了したら、選択されたメロディを前記再生手段により再生させ、再生されたメロディが所望のメロディでなかった場合には、前記送信側識別番号の再指定がされることなくメロディの選択に移り、そのメロディによって、結果的にどこからの送信であるのかを明確に通知できる通信装置を提供することを目的としている。」と訂正する。 
　
　訂正事項ｆ 
 　本件特許明細書の段落番号【０００８】の記載について、
「また、請求項２に係わる発明は、メロディを形成する複数の音を１音づつ入力してメロディを登録しておき、送信側識別情報と登録メロディとを対応づけて記憶させておき、着信側においてその登録されたメロディにより発信元を識別することを目的としている。
　更に、請求項３記載の発明は、請求項１の発明において、前記対応テーブルへの記憶の際には、送信側識別番号を指定させた後、対応するメロディを選択させることを特徴とする通信装置を提供することを目的としている。また更に、請求項４記載の発明は、メロディの再生後に、入力されたメロディを消去させる手段を備え、不要となったメロディを消去するほか、誤って入力された者を修正する機能を備えた通信装置を提供することを目的としている。」と訂正する。
　
　訂正事項ｇ
 　本件特許明細書の段落番号【０００９】の記載について、
「【課題を解決するための手段】
　請求項１に係わる発明は、上記目的を達成するために、外部から任意のメロディを入力するためのメロディ入力手段と、固定メロディと前記入力手段により入力されたメロディとをそれぞれ複数記憶する記憶手段と、送信側識別番号と前記固定メロディ及び前記入力されたメロディから任意に選択されたメロディとを１対１に対応付けて複数記憶可能な対応テーブルと、受信した送信側識別情報に対応するメロディを前記記憶手段から読み出して再生する再生手段とを備え、前記メロディ入力手段により複数の音からなる一つのメロディの入力が終了したら該メロディをその記憶可否のために再生し、前記対応テーブルへの記憶の際には、前記送信側識別番号の指定とメロディの選択が終了したら、選択されたメロディを前記再生手段により再生させ、再生されたメロディが所望のメロディでなかった場合には、前記送信側識別番号の再指定がされることなくメロディの選択に移ることを特徴とする。」と訂正する。
　
　訂正事項ｈ
　本件特許明細書の段落番号【００１１】の記載について、「また、請求項３記載の発明は、上記目的を達成するために、請求項１記載の発明において、前記対応テーブルへの記憶の際には、送信側識別番号を指定させた後、対応するメロディを選択させることを特徴とする。
　更に、請求項４記載の発明は、上記目的を達成するために、メロディの再生後に、入力されたメロディを消去させる手段を備えたことを特徴とする。」と訂正する。
　
　訂正事項ｉ
　本件特許明細書の段落番号【００１２】の記載について、
「【作用】
　上記構成を有する請求項１記載の発明においては、外部から任意のメロディを入力するためのメロディ入力手段と、固定メロディと前記入力手段により入力されたメロディとをそれぞれ複数記憶する記憶手段と、送信側識別番号と前記固定メロディ及び前記入力されたメロディから任意に選択されたメロディとを１対１に対応付けて複数記憶可能な対応テーブルと、受信した送信側識別情報に対応するメロディを前記記憶手段から読み出して再生する再生手段とを備えており、前記メロディ入力手段により複数の音からなる一つのメロディの入力が終了したら該メロディをその記憶可否のために再生し、前記対応テーブルへの記憶の際には、前記送信側識別番号の指定とメロディの選択が終了したら、選択されたメロディを前記再生手段により再生させ、再生されたメロディが所望のメロディでなかった場合には、前記送信側識別番号の再指定がされることなくメロディの選択に移ることができ、送信側識別情報に対応する呼出音を再生できる。」と訂正する。
　
　訂正事項ｊ
　本件特許明細書の段落番号【００１４】の記載について、
「請求項１で述べたように、入力されたメロディを登録する際に、そのメロディを再生手段により再生させ、メロディ自体を予め確認し得る。そして、請求項３の発明においては、前記対応テーブルへの記憶の際には、送信側識別番号を指定させた後、対応するメロディを選択させ得る。また、上記構成を有する請求項４記載の発明においては、メロディの再生後に、入力されたメロディを消去させる手段を備えている。誤ったメロディは消去され、又は登録の要領で修正できる。」と訂正する。
　
　訂正事項ｋ
　本件特許明細書の段落番号【００３４】の記載について、
「【発明の効果】
　以上説明したように、請求項１記載の発明に係る通信装置によれば、外部から任意のメロディを入力するためのメロディ入力手段と、固定メロディと前記入力手段により入力されたメロディとをそれぞれ複数記憶する記憶手段と、送信側識別番号と前記固定メロディ及び前記入力されたメロディから任意に選択されたメロディとを１対１に対応付けて複数記憶可能な対応テーブルと、受信した送信側識別情報に対応するメロディを前記記憶手段から読み出して再生する再生手段とを備え、前記メロディ入力手段により複数の音からなる一つのメロディの入力が終了したら該メロディをその記憶可否のために再生し、前記対応テーブルへの記憶の際には、前記送信側識別番号の指定とメロディの選択が終了したら、選択されたメロディを前記再生手段により再生させ、再生されたメロディが所望のメロディでなかった場合には、前記送信側識別番号の再指定がされることなくメロディの選択に移ることができ、呼出音に基づく着信通知から、どこからの送信であるのかを明確に通知でき、送り主を判別できる。」と訂正する。
　
　訂正事項ｌ
　本件特許明細書の段落番号【００３６】の記載について、
「また、請求項３記載の発明に係る通信装置によれば、対応テーブルへの記憶の際には、送信側識別番号を指定させた後、対応するメロディを選択できる。
　更に、請求項４記載の発明に係る通信装置によれば、メロディの再生後に、入力されたメロディを消去させる手段を備え、誤って入力されたメロディの修正ができる。」と訂正する。
　
　訂正事項ｍ
　本件特許明細書の【符号の説明】の記載について、
「【符号の説明】
１１　ＣＰＵ（判定手段）
１２　ＲＯＭ
１３　ＲＡＭ
１４　スキャナ
１５　プロッタ
１６　ＤＣＲ（符号復号化装置）
１７　モデム（変復調装置）
１８　ＮＣＵ（網制御装置）
１９　オペレーションパネル
２０　メロディ／音声入力手段
２１　メロディ／音声再生手段
２２　連絡先入力手段」と訂正する
　
第３．訂正の目的の適否、新規事項の追加の有無、拡張・変更の存否について
１．特許請求の範囲の請求項１について
（１）訂正事項ａについて
　訂正事項ａは、願書に添付した明細書又は図面に記載した事項の範囲内において、特許請求の範囲の請求項１に記載された「入力されたメロディを複数記憶する記憶手段」について、「固定メロディ」を「複数記憶」することを付加したものであるから、特許請求の範囲の減縮を目的とするものであって、新規事項の追加に該当せず、実質上特許請求の範囲を拡張し、変更するものではない。
　
（２）訂正事項ｂについて 
　訂正事項ｂは、願書に添付した明細書又は図面に記載した事項の範囲内において、特許請求の範囲の請求項１に記載された「送信側識別番号と任意に選択されたメロディとを１対１に対応付けて複数記憶可能な対応テーブル」について、「固定メロディ」についても「送信側識別番号」と「１対１に対応付けて複数記憶可能」とすることを付加したものであるから、特許請求の範囲の減縮を目的とするものであって、新規事項の追加に該当せず、実質上特許請求の範囲を拡張し、変更するものではない。
　
（３）訂正事項ｃについて 
　訂正事項ｃは、願書に添付した明細書又は図面に記載した事項の範囲内において、特許請求の範囲の請求項１に記載された「前記メロディ入力手段により入力されたメロディを前記記憶手段に記憶する際に、該メロディを再生させる」ことについて、「前記メロディ入力手段により複数の音からなる一つのメロディの入力が終了したら該メロディをその記憶可否のために再生し」と限定し、「前記対応テーブルへの記憶の際には、前記送信側識別番号の指定とメロディの選択が終了したら、選択されたメロディを前記再生手段により再生させ、再生されたメロディが所望のメロディでなかった場合には、前記送信側識別番号の再指定がされることなくメロディの選択に移る」ことを付加したものであるから、特許請求の範囲の減縮を目的とするものであって、新規事項の追加に該当せず、実質上特許請求の範囲を拡張し、変更するものではない。
　
２．特許請求の範囲の請求項５について
　訂正事項ｄについて 
　訂正事項ｄは、特許請求の範囲の請求項５を削除するものであるから、新規事項の追加に該当せず、実質上特許請求の範囲を拡張し、変更するものではない。
　
３．発明の詳細な説明、図面の簡単な説明について
（１）訂正事項ｅないしｌについて
　特許請求の範囲と発明の詳細な説明が整合するように、発明の詳細な説明の記載を特許請求の範囲の記載に合わせたものであると認められるから、明りょうでない記載の釈明を目的としたものであって、新規事項の追加に該当せず、実質上特許請求の範囲を拡張し、変更するものではない。
　
（２）訂正事項ｍについて
　訂正事項ｍは、符号の説明の「２１」、「２２」について、発明の詳細な説明及び図１に整合させたものであり、誤記の訂正を目的としたものである。
　
３．まとめ
　したがって、上記訂正は、平成６年法改正前特許法第１２６条第１項ただし書き第１号ないし第３号の規定及び同条第２項の規定に適合する。
　
第４．独立特許要件について 
　上記訂正は、平成６年法改正前特許法第１２６条第１項ただし書き第１号に規定する特許請求の範囲の減縮を目的とするものを含むから、訂正後における特許請求の範囲に記載されている事項により特定される発明が特許出願の際独立して特許を受けることができるものであるか否かについて検討する。
　
１．訂正発明について
 　訂正明細書の特許請求の記載は次のとおりである。
  「【請求項１】外部から任意のメロディを入力するためのメロディ入力手段と、
固定メロディと前記入力手段により入力されたメロディとをそれぞれ複数記憶する記憶手段と、
　送信側識別番号と前記固定メロディ及び前記入力されたメロディから任意に選択されたメロディとを１対１に対応付けて複数記憶可能な対応テーブルと、
　受信した送信側識別情報に対応するメロディを前記記憶手段から読み出して再生する再生手段とを備え、
　前記メロディ入力手段により複数の音からなる一つのメロディの入力が終了したら該メロディをその記憶可否のために再生し、
　前記対応テーブルへの記憶の際には、前記送信側識別番号の指定とメロディの選択が終了したら、選択されたメロディを前記再生手段により再生させ、再生されたメロディが所望のメロディでなかった場合には、前記送信側識別番号の再指定がされることなくメロディの選択に移ることを特徴とする通信装置。
【請求項２】前記メロディ入力手段は、メロディを形成する複数の音を１音づつ入力するものであることを特徴とする請求項１に記載の通信装置。
【請求項３】前記対応テーブルへの記憶の際には、送信側識別番号を指定させた後、対応するメロディを選択させることを特徴とする請求項１又は２記載の通信装置。
【請求項４】メロディの再生後に、入力されたメロディを消去させる手段を備えたことを特徴とする請求項１乃至３記載の通信装置。」
　
２．刊行物に記載された発明
（１）特開平２−２６４４０号公報（以下、「引用刊行物１」という。）には、図面とともに以下の記載がある。
　ａ）[産業上の利用分野]本発明は、電話機に着呼があったとき着呼を通知する複数の呼出音から一つを選択する呼出音選択方式に関する。」（１頁右下欄２行ないし５行）、
　ｂ）「本発明の目的は、発呼元である相手番号を受信したとき予め設定した複数の呼出音の一つを選択して発生することにより、上記欠点を解決した呼出音選択方式を提供することにある。」（２頁右上欄１行ないし４行）、
　ｃ）「[課題を解決するための手段]本発明の呼出音選択方式は、着呼により呼出信号を受信したとき電話機が発生する呼出音を、それぞれ相違する音色の呼出音を発生する呼出音信号器の一つを予め選択して発生させる呼出音選択方式において、受信した発呼者電話番号を判別する相手番号判別部と、登録電話番号ごとに発生する信号音の一つの呼出音信号器を予め設定したものを記憶する番号対応呼出音選択信号記憶部と、着呼により呼出信号を受信したとき、前記相手番号判別部から取出した発呼者電話番号を登録電話番号とし前記番号対応呼出音選択信号記憶部から索引した呼出音信号器を選択駆動する呼出音信号選択部とを前記電話機が有する。」（２頁右上欄５行ないし１８行）、
　ｄ）「第１図において、電話機は相手番号判別部１、表示器２、番号対応呼出音選択信号記憶部３、ダイヤルボタン４、番号呼出対応付部５、呼出音設定ボタン６、呼出音選択ボタン７、呼出音信号選択部８、呼出音信号部９、および呼出音発生器１０を有し、また呼出音信号部９は呼出音信号器（１）９１、呼出音信号器（２）９２、〜呼出音信号器（Ｎ）９Ｎを有する。相手番号判別部１は着信呼が発呼者番号を転信するときこの発呼者番号を相手番号として判別する。表示器２は相手番号判別部１が判別した発呼者番号を番号表示する。番号対応呼出音選択信号記憶部３は特定の発呼者番号に対し番号ごとに呼出音の種別を予め指定して記憶し、番号を入力したとき対応する呼出音を選択する選択信号を出力する。ダイヤルボタン４が扱者により手動操作されたとき番号呼出音対応付部５はダイヤル符号として操作ボタン情報を受信し、呼出音設定ボタン６の扱者操作により、受信したダイヤル符号と、呼出音信号選択部８から取出した選択中の呼出音信号器情報とを番号対応呼出音選択信号記憶部３に転送して記憶させる。呼出音選択ボタン７は呼出音信号選択部８に手動操作により呼出音信号器の一つを選択する選択情報を与える。呼出音信号部９は呼出音選択部８からの指示により呼出音信号器（１）９１〜（Ｎ）９Ｎの駆動選択をうける。呼出音発生器１０は各呼出音信号器（１）９１〜（Ｎ）９Ｎの出力を接続して駆動された信号器の信号音を受信し鳴動音を発生させる」（２頁左下欄７行ないし右下欄１５行）、
　ｅ）「第３図の呼出音選択指定手順では、まず呼出音信号選択部８は扱者の操作による呼出音選択ボタン７の操作情報を受信（Ｓ１）するので、所定の第１の呼出音信号器（１７９）を駆動（Ｓ２）し、呼出音発生器１０から呼出音を発生させる。次に呼出音選択ボタン７の操作情報を受信（Ｓ３）したとき、呼出音選択部８は所定の次の順序の呼出音信号器（２）９２を駆動（Ｓ４）して呼出音発生器１０から信号器（２）の呼出音を発生させる。扱者は希望する呼出音が発生するまで選択ボタンの操作を繰返し、所望の呼出音の聴取でダイヤルボタンにより、発生中の信号音を指定するダイヤル番号を操作する。従って、番号呼出音対応付部５はダイヤルボタン４から操作情報を受信するので、この情報を蓄積（Ｓ５）する。次いで、現状の取消がない（Ｓ６）場合、番号呼出音対応付部は呼出音設定ボタン６の操作情報を受信（Ｓ７）したとき、手順Ｓ５で受信したダイヤル番号情報と呼出音信号選択部８が選択中の呼出音信号器選択情報とを番号対応呼出音選択信号記憶部３へ転送して記録（Ｓ８）させ、登録の手順は終了する。」（３頁右上欄１行ないし左下欄１行）。
　これらの記載及びこの技術分野の技術常識を考慮すれば、引用刊行物１には、
「それぞれ相違する音色からなる複数の呼出音を生成することができる呼出音信号器９１〜９Ｎと、希望する呼出音を選択した後、ダイヤル番号を指定することにより、相手ダイヤル番号と任意に選択された呼出音とを１対１に対応付けて複数記憶可能な番号対応呼出音選択信号記憶部３と、受信した相手ダイヤル番号に対応する呼出音を前記呼出音信号器９１〜９Ｎから出力して再生する呼出音発生器１０とを備えた電話機における呼出音選択方式。」の発明（以下、「引用発明」という。）が開示されているものと認められる。
　　
（２）特開平２−１２６２８９号公報（以下、「引用刊行物２」という。）には、図面とともに以下の記載がある。
　ａ）[産業上の利用分野]この発明は、電話機における保留音や呼出音に好適なメロディ音の作曲など、簡易なメロディの作曲に用いられる作曲装置に関する。」（１頁右下欄６行ないし９行）、
　ｂ）「そこで、この発明は、このような電話機の保留音や呼出音などに用いることができる簡易なメロディの作曲ができる作曲装置の提供を目的とする。」（２頁右上欄１０行ないし１２行）、
　ｃ）「そして、キーボード入力によって作曲制御手段から、楽音の周波数を制御する周波数制御信号、楽音の持続時間を制御する時間制御信号、または、楽音のレベルを制御するレベル制御信号が得られるので、任意の楽音信号を形成することができ、所望の楽音を組み合わせて任意のメロディを作曲することができ、そのメロディを記憶手段に書き込み、それを読み出すことによって、作曲されたメロディを再生し、保留音や呼出音などとして用いることができる。」（２頁右下欄１４行ないし３頁左上欄３行）、
　ｄ）「次に、第３図は、作曲のための楽音形成フローを示す。ステップＳ１では第２図に示す電話機本体４２のスイッチ３８を操作して通常のダイヤル入力モードＡから保留音の作曲モードＢへの切換えが行われる。
　次に、ステップＳ２では、キースイッチ３６１またはキースイッチ３６３を押下すると、その選択的な押下およびその押下時間に応じたレベルの周波数制御信号ＦＣがＣＰＵ３４から出力され、キースイッチ３６１、３６３の選択及びその押下時間に対応した分周比ＮがＤＩＶ４８に設定されて任意の周波数ｆＭのクロックパルスＣＬＫが得られる。このクロックパルスＣＬＫに応じて楽音データＭａがＲＯＭ５０から読み出される。この楽音データＭａは、ＤＡＣ５２により、第４図に示す周波数ｆＭを持つ連続した交流アナログ信号である楽音信号ＭＡに変換される。
　次に、ステップＳ３では、キーボード３６のキースイッチ３６７またはキースイッチ３６９を押下し、キースイッチ３６７、３６９の選択およびその押下時間に応じてＧＡＴＥ５６に持続時間ＴＭを表す信号通過時間が設定され、第４図に示すように、楽音信号ＭＡの持続時間ＴＭが設定される。
　次に、ステップＳ４では、キーボード３６のキースイッチ３６４またはキースイッチ３６６の押下によって、キースイッチ３６４、３６６の選択およびその押下時間に応じて第４図に示すように、楽音信号ＭＡの振幅レベルＶＭが設定される。この振幅レベルＶＭによって音量レベルが設定されることになる。
　次に、ステップＳ５では、楽音のテストモードであり、キースイッチ３７１を操作すると、周波数ｆＭ、時間ＴＭおよび振幅レベルＶＭが設定された楽音信号ＭＡが音声として再生される。次に、ステップＳ６では、楽音信号ＭＡによって再生される楽音が操作者の希望したものか否かを判断し、希望したものでないときには、ステップＳ２に戻り、再度、ステップＳ３〜Ｓ６を経て楽音を形成する。そして、ステップＳ６で希望の楽音が得られたと判断した場合には、ステップＳ７に移行し、キースイッチ３７２を押下してＲＡＭ６０にその楽音を表す楽音信号データＭａを記憶させ、ステップＳ８に移行する。
　このような、ステップＳ１〜Ｓ８を経てメロディの要素である１つの楽音が形成され、これらのステップＳ１〜Ｓ８を繰り返すことによって、同一または異なる楽音を連ねてメロディとして形成され、楽音の積み重ねで１つのメロディをＲＡＭ６０に記憶させることができる。希望のメロディが形成された場合には、ステップＳ９に移行し、スイッチ３８を操作して通常のダイヤル入力モードＡに移行させる。
　そして、スイッチ４０を操作すれば、記憶させたメロディがＲＡＭ６０から読み出され、スピーカ４４または送受器４６から音響として再生することができる。」（４頁右上欄１７行ないし５頁左上欄１４行）。
　これらの記載及びこの技術分野の技術常識を考慮すれば、引用刊行物２には、
「キーボード入力によって作曲制御手段から、楽音の周波数を制御する周波数制御信号、楽音の持続時間を制御する時間制御信号、及び楽音のレベルを制御するレベル制御信号を得て、メロディの要素である１つの楽音を形成し、所望の楽音を組み合わせて任意のメロディを作曲し、そのメロディを記憶手段に書き込み、それを読み出すことによって、作曲されたメロディを再生し、呼出音として用いる電話機において、入力されたメロディを前記記憶手段に記憶する際に、該メロディを構成する楽音を再生し、再生される楽音が操作者の希望したものか否か判断し、希望したものでないときには再度、楽音を形成し、希望の楽音が得られたと判断した場合には、その楽音を表す楽音信号データを前記記憶手段に記憶させるようにした電話機」の発明が開示されているものと認められる。
　
（３）特開平１−１８８１４８号公報「以下、「引用刊行物３」という。）には、図面とともに以下の記載がある。
　ａ）「[産業上の利用分野]本発明は、発信者番号を通知する機能を持った交換機に接続される電話機に関し、特に発信者番号に対応した呼出し音を発生することのできる呼出し音可変型電話機に関する。」（１頁左下欄１６行ないし右上欄２行）、
　ｂ）「本発明は、上記課題を解決し、呼出し音により発信者を識別することができる呼出し音可変型電話機を提供することを目的とする。」（１頁右下欄１７行ないし２頁左上欄１行）、
　ｃ）「第１図において、本実施例による呼出し音可変型電話機は、電話番号等の表示を行う表示装置３１と、呼出し音等のパターン登録を行なうためのキーパッド３２と、複数の呼出し音を発生可能な呼出し音発生回路３３と、電話番号と呼出し音の対応関係を登録する蓄積回路３５と、電話回線の着信等の制御を行う回線制御装置３６と、上記各部の制御を行う中央制御装置３４とから構成される。
　次に、本実施例の動作について第２図及び第３図を参照して説明する。
　先ず、電話番号と呼出し音の対応関係等の登録は、第２図に示すように、ステップ１１でキー押下を待ち、使用者がキーパッド３２の中から登録用キーを押下すると、中央制御装置３４が表示装置３１を用いて相手番号の入力をステップ１２で要求する。次に、ステップ１３で中央制御装置３４が再びキーパッド３２を監視し、入力が終了するとステップ１４で表示装置３１を用いて呼出し音の選択を要求する。ここで使用者がキーパッド３２を用いて呼出し音のパターンを登録すると、ステップ１５で入力済を確認した後、ステップ１６で表示装置３１と呼出し音発生回路３３を用いて使用者に確認をうながし、使用者が確認すると、ステップ１８で蓄積回路３５に相手番号と呼出し音との対応が記憶される。」（２頁右上欄１行ないし左下欄８行）。
　これらの記載及びこの技術分野の技術常識を考慮すれば、引用刊行物３には、「対応テーブルへの記憶の際には、送信側識別番号を指定させた後、対応する呼出し音を選択させると共に、電話番号と呼出し音パターンを登録した後、表示装置３１と呼出し音発生回路３３を用いて使用者に確認をうながし、使用者が確認すると、ステップ１８で蓄積回路３５に相手番号と呼出し音との対応が記憶される。」発明が開示されているものと認められる。
　
（４）特開昭６４−４６３６１号公報（以下、「引用刊行物４」という。）には図面とともに以下の記載がある。
　ａ）「電話回線上に出現する呼出し信号を検出してこの電話回線上に応答を返す自動応答手段と、この自動応答後に電話回線上に出現することのあるダイヤル番号を検出し、これが登録中の複数の暗証ダイヤル番号の一つと一致するか否かを照合する暗証ダイヤル検出・照合手段と、照合一致の場合この一致した暗証ダイヤル番号ごとに決められている特定の音色の着信通知音を発生する着信通知音発生手段とを備えたことを特徴とする選択的着信通知機能を備えた電話機。」（１頁５行ないし１４行）、
　ｂ）「ダイヤル番号検出・照合部３は、照合一致の場合この一致した暗証ダイヤル番号に対応付けられている３個のメロディＩＣ４１〜４３の一つを選択して起動する」（２頁左下欄１２行ないし１５行）、
　ｃ）「３個のメロディＩＣ４１〜４３には、異なるメロディの着信通知音をディジタル形式で記憶しているＲＯＭと、このＲＯＭからディジタル信号を呼出してアナログ信号に変換するＡ／Ｄ変換回路が内蔵されている。選択されたメロディＩＣで再生されたアナログ形式の着信通知音は増幅器４４を経てスピーカ４５に供給され、この電話機の利用者に着信の発生を通知する。」（２頁左下欄下から２行ないし右下欄６行）、
　ｄ）「更に、メロディＩＣからなる異なるメロディの着信通知信号を発生させる構成を例示したが、異なる周波数や断続周期でブザーを鳴動させるなど他の適宜な構成によって異なる音色の着信通知音を発生させてもよい。」（３頁右下欄７行ないし１１行）
　ｅ）「本発明の電話機は複数の暗証ダイヤル番号とこれらに固有の音色の着信通知音を利用する構成であるから、利用者は応答に先立って着信通知音の音色から発呼者を識別ないし推定できたり・・・利便性が大幅に向上するという効果がある。」（３頁右下欄１３行ないし１９行）。
　
３．訂正明細書の請求項１に記載された発明（以下、「訂正発明１」という。）について
［対比］
　訂正発明１と引用発明とを対比すると、
　ａ）引用発明は、「相手ダイヤル番号と任意に選択された呼出音とを１対１に対応付けて複数記憶可能な番号対応呼出音選択信号記憶部３」を備え、この「相手ダイヤル番号」は、「送信側識別番号」といえるから、両者は、相手ダイヤル番号と対応付けられる音が「メロディ」である点を除き、「送信側識別番号と任意に選択された音とを１対１に対応付けて複数記憶可能な対応テーブル」を備える点で一致する。
　ｂ）引用発明は、「受信した相手ダイヤル番号に対応する呼出音を前記呼出音信号器９１〜９Ｎから出力して再生する呼出音発生器１０」を備え、「相手ダイヤル番号」、及び「呼出音発生器」は、「送信側識別情報」、及び「再生手段」といえるから、両者は、送信側識別情報に対応する音が「メロディ」であり、該メロディが「記憶手段」から読み出される点を除き、「受信した送信側識別情報に対応する音を再生する再生手段」を備える点で一致する。
　ｃ）引用発明は、呼出音を選択する電話機の発明であるから、両者は「通信装置」である点で一致する。
　したがって、両者は、以下の点で一致ないし相違する。
［一致点］
　送信側識別番号と任意に選択された音とを１対１に対応付けて複数記憶可能な対応テーブルと、受信した送信側識別情報に対応する音を再生する再生手段とを備えた通信装置。
［相違点］
　ａ）訂正発明１は、「外部から任意のメロディを入力するためのメロディ入力手段」と、「固定メロディと前記入力手段により入力されたメロディとをそれぞれ複数記憶する記憶手段」を備え、対応テーブルで送信側識別情報と対応付けられ、再生手段で再生される音が「メロディ」であり、前記メロディを「前記記憶手段から読み出して再生する」のに対して、引用発明はそのようなものではない点。
　ｂ）訂正発明１は、「前記メロディ入力手段により複数の音からなる一つのメロディの入力が終了したら該メロディをその記憶可否のために再生」するのに対して、引用発明はそのようなものではない点。
　ｃ）訂正発明１は、「対応テーブルへの記憶の際には、前記送信側識別番号の指定とメロディの選択が終了したら、選択されたメロディを前記再生手段により再生させ、再生されたメロディが所望のメロディでなかった場合には、前記送信側識別番号の再指定がなされることなくメロディの選択に移る」のに対して、引用発明は、希望する呼出音を選択した後、ダイヤル番号を指定している点。
［判断］
　ア）相違点ａ）について
　引用刊行物２には、「キーボード入力によって作曲制御手段から、楽音の周波数を制御する周波数制御信号、楽音の持続時間を制御する時間制御信号、及び楽音のレベルを制御するレベル制御信号を得て、メロディの要素である１つの楽音を形成し、所望の楽音を組み合わせて任意のメロディを作曲し、そのメロディを記憶手段に書き込み、それを読み出すことによって、作曲されたメロディを再生し、呼出音として用いる電話機において、入力されたメロディを前記記憶手段に記憶する際に、該メロディを構成する楽音を再生し、再生される楽音が操作者の希望したものか否か判断し、希望したものでないときには再度、楽音を形成し、希望の楽音が得られたと判断した場合には、その楽音を表す楽音信号データを前記記憶手段に記憶させるようにした電話機」の発明が開示され、通信装置である電話機の技術分野において、外部から任意のメロディを入力する入力手段と、入力されたメロディを記憶する記憶手段とを設けて、呼出音を生成することは公知の技術であると認められること、引用刊行物４には、電話機において、固定メロディを複数記憶する記憶手段を備え、ダイヤル番号に応じて異なる着信音を生成する技術が開示されていること、また、送信側識別番号に対応してメロディ音を異ならせる際に、「固定メロディと入力手段により入力されたメロディとをそれぞれ複数とする」ことは適宜実施し得る設計的事項にすぎないと考えられること、加えて、 引用刊行物４に「更に、メロディＩＣからなる異なるメロディの着信通知信号を発生させる構成を例示したが、異なる周波数や断続周期でブザーを鳴動させるなど他の適宜な構成によって異なる音色の着信通知音を発生させてもよい。」（３頁右下欄７行ないし１１行）の記載があり、異なる着信通知音を発生させるに際して、メロディとするか、それとも他の適宜な構成による音色とするかは選択的事項にすぎないことが示唆されていることから、引用発明において、引用刊行物２に開示された発明の技術、及び引用刊行物４に開示された技術を採用して「外部から任意のメロディを入力するためのメロディ入力手段」と、「固定メロディと前記入力手段により入力されたメロディとをそれぞれ複数記憶する記憶手段」を備え、対応テーブルで送信側識別情報と対応付けられ、再生手段で再生される音を「メロディ」とし、前記メロディを「前記記憶手段から読み出して再生する」ものとすることは当業者であれば容易に想到し得ることである。
　イ）相違点ｂ）について
　記憶の可否を、楽音毎に代えて、楽音の集合である1つのメロディの単位で判断することは、当業者が適宜なし得る設計的事項にすぎないといえること、引用刊行物２には、記憶させたメロディをスイッチ４０の操作により読み出して、音響として再生することが開示され、このスイッチ４０を操作して記憶したメロディを再生した際に、希望したメロディでない場合に再入力を行うことは操作者における自然の操作といえること、そして、引用発明に引用刊行物２に記載された発明の技術等を適用することに格別の困難性はないことを考慮すると、引用発明において「メロディ入力手段により複数の音からなる一つのメロディの入力が終了したら該メロディをその記憶可否のために再生」するようにすることは当業者であれば容易に想到し得ることである。
　このことは、「複数の音からなる一つのメロディの入力が終了したら、該メロディをその記憶の可否のために再生」することが作曲装置における周知の技術（特開昭５７−４６２９４号公報、特開昭５７−１６００８８号公報、特開平１−１７９１９５号公報、実願昭６２−１４７３４７号（実開昭６４−５１９９２号）のマイクロフィルム）であって、この周知の技術を引用発明に適用することを妨げる格別の理由がないことから、引用発明において「前記メロディ入力手段により複数の音からなる一つのメロディの入力が終了したら該メロディをその記憶可否のために再生」することは当業者であれば容易に想到し得るといえる。
　ウ）相違点ｃ）について
　引用刊行物３には、対応テーブルへの記憶の際には、送信側識別番号を指定させた後、対応する呼出し音を選択させると共に、電話番号と呼出し音パターンを登録した後、呼出し音発生回路３３を用いて使用者に確認をうながし、使用者が確認すると、ステップ１８で蓄積回路３５に相手番号と呼出し音との対応が記憶される発明が開示されているものと認められ、引用刊行物３の第２図のフローチャートでは、再生された呼出し音が所望のものでなかった場合（ステップ１７でＮＯ）、送信側識別番号の再指定がなされるフローとなっているが、呼出し音を選択する際に既に入力されている相手先番号の入力は不要であることを考慮すると、ステップ１７でＮＯであったときにはステップ１４の呼出し音の選択要求の戻ることがむしろ自然といえるから、引用発明において、引用刊行物３に記載された発明を適用し、「対応テーブルへの記憶の際には、前記送信側識別番号の指定とメロディの選択が終了したら、選択されたメロディを前記再生手段により再生させ、再生されたメロディが所望のメロディでなかった場合には、前記送信側識別番号の再指定がなされることなくメロディの選択に移る」ようにすることは当業者であれば容易に想到し得ることである。
［まとめ］
　したがって、訂正発明１は引用刊行物１ないし４に記載された発明及び周知の技術に基いて当業者が容易に発明をすることができたものであるから、特許法第２９条第２項の規定により特許出願の際独立して特許を受けることができないものである。
　
４．訂正明細書の請求項２に記載された発明（以下、「訂正発明２」という。）について
［対比］
　訂正発明２と引用発明とを対比すると、両者は上記相違点ａ）ないしｃ）に加えて下記ｄ）の点で相違し、その余の点では一致する。
［相違点］
　ｄ）訂正発明２は、「前記メロディ入力手段は、メロディを形成する複数の音を一音づつ入力するものである」の対して、引用発明には、そのようなメロディ入力手段を備えていない点。
［判断］
　引用刊行物２には、前示した「キーボード入力によって作曲制御手段から、楽音の周波数を制御する周波数制御信号、楽音の持続時間を制御する時間制御信号、及び楽音のレベルを制御するレベル制御信号を得て、メロディの要素である１つの楽音を形成し、所望の楽音を組み合わせて任意のメロディを作曲し、そのメロディを記憶手段に書き込み、それを読み出すことによって、作曲されたメロディを再生し、呼出音として用いる電話機において、入力されたメロディを前記記憶手段に記憶する際に、該メロディを構成する楽音を再生し、再生される楽音が操作者の希望したものか否か判断し、希望したものでないときには再度、楽音を形成し、希望の楽音が得られたと判断した場合には、その楽音を表す楽音信号データを前記記憶手段に記憶させるようにした電話機」の発明が開示され、メロディを形成する複数の楽音を１音づつ入力することは公知の技術であると認められ、また、引用発明に引用刊行物２に記載された発明の技術の適用を阻害する格別の理由もないことから、引用発明において「前記メロディ入力手段は、メロディを形成する複数の音を１音づつ入力するもの」とすることは当業者であれば容易に想到し得ることである。
［まとめ］
　したがって、訂正発明２は引用刊行物１ないし４に記載された発明及び周知の技術に基いて当業者が容易に発明をすることができたものであるから、特許法第２９条第２項の規定により特許出願の際独立して特許を受けることができないものである。
　
５．訂正明細書の請求項３に記載された発明（以下、「訂正発明３」という。）について
［対比］
　訂正発明３と引用発明とを対比すると、両者は上記相違点ａ）〜ｄ）に加えて下記ｅ）の点で相違し、その余の点では一致する。
［相違点］
　ｅ）訂正発明３は、「対応テーブルへの記憶の際には、送信側識別番号を指定させた後、対応するメロディを選択させる」のに対して、引用発明は、希望する呼出音を選択した後、ダイヤル番号を指定している点、すなわち、送信側識別番号（ダイヤル番号）とメロディ（呼出音）の選択、指定の順番が逆に構成されている点。
［判断］
　そこで、検討するに、識別番号（ダイヤル番号）とメロディ（呼出音）とを対応付けて記憶するために、識別番号（ダイヤル番号）を指定した後、メロディ（呼出音）を選択するか、メロディ（呼出音）を選択した後、識別番号（ダイヤル番号）を指定するかは、いわゆる二者択一の関係であるから、引用発明において「対応テーブルへの記憶の際には、送信側識別番号を指定させた後、対応するメロディを選択させる」ことは当業者が適宜なし得る程度のことである。
　このことは、引用刊行物３に「対応テーブルへの記憶の際には、送信側識別番号を指定させた後、対応する呼出し音選択させる・・・」発明が開示され、そしてこの発明の適用を妨げる格別の阻害理由もないことから、引用発明において「前記対応テーブルへの記憶の際には、送信側識別番号を指定させた後、対応するメロディを選択させる」ことは当業者が適宜なし得ることであるといえる。
［まとめ］
　したがって、訂正発明３は引用刊行物１ないし４に記載された発明及び周知の技術に基いて当業者が容易に発明をすることができたものであるから、特許法第２９条第２項の規定により特許出願の際独立して特許を受けることができないものである。
　
６．訂正明細書の請求項４に記載された発明（以下、「訂正発明４」という。）について
［１］対比
　訂正発明４と引用発明とを対比すると、両者は上記相違点ａ）〜ｅ）に加えて下記の点で相違し、その余の点では一致する。
［相違点］
　ｆ）訂正発明４は、「メロディの再生後に、入力されたメロディを消去させる手段を備え」ているのに対して、引用発明はそのような手段を備えていない点。
［判断］
　そこで、検討すると、
　引用刊行物２には、「キーボード入力によって作曲制御手段から、楽音の周波数を制御する周波数制御信号、楽音の持続時間を制御する時間制御信号、及び楽音のレベルを制御するレベル制御信号を得て、メロディの要素である１つの楽音を形成し、所望の楽音を組み合わせて任意のメロディを作曲し、そのメロディを記憶手段に書き込み、それを読み出すことによって、作曲されたメロディを再生し、呼出音として用いる電話機において、入力されたメロディを前記記憶手段に記憶する際に、該メロディを構成する楽音を再生し、再生される楽音が操作者の希望したものか否か判断し、希望したものでないときには再度、楽音を形成し、希望の楽音が得られたと判断した場合には、その楽音を表す楽音信号データを前記記憶手段に記憶させるようにした電話機」の発明が開示され、通信装置の技術分野において、メロディを形成する複数の音を１音づつ入力し、楽音を再生した後に、希望したものでないときには、再度入力し直し、すなわち、入力した楽音を消去して、新たな楽音を入力することは公知の技術と認められ、そして、入力された楽音毎に再生、消去するか、楽音が集まった一つのメロディで再生、消去するかは、当業者が適宜選択しうる事項にすぎないといえるから、引用発明において「メロディの再生後に、入力されたメロディを消去させる手段を備え」るようにすることは当業者が容易に想到し得ることである。
　このことは、引用刊行物３に「・・・電話番号と呼出し音パターンを登録した後、表示装置３１と呼出し音発生回路３３を用いて使用者に確認をうながし、使用者が確認すると、ステップ１８で蓄積回路３５に相手番号と呼出し音との対応が記憶され、確認の結果、好ましくない場合には、電話番号の入力から再び行う」ようにした発明が開示され、使用者が確認するために、呼出し音発生回路３３を用いて呼出し音パターンを再生し、希望するものでない場合には、再び呼出し音パターンを選択し、再び呼出し音パターンを選択することにより、前回の呼出し音パターンを消去することが示唆されているから、引用刊行物３に開示ないし示唆された発明を考慮すれば、引用発明において「メロディの再生後に、入力されたメロディを消去させる手段を備え」るようにすることは当業者が容易に想到し得ることであることからもいえる。
［まとめ］
　したがって、訂正発明４は引用刊行物１ないし４に記載された発明及び周知の技術に基いて当業者が容易に発明をすることができたものであるから、特許法第２９条第２項の規定により特許出願の際独立して特許を受けることができないものである。
　
第５．むすび
　以上のとおりであるから、訂正発明１ないし４は、引用発明１ないし４に記載された発明及び周知の技術に基いて当業者が容易に発明をすることができたものであり、特許法第２９条第２項の規定により特許出願の際独立して特許を受けることができないものである。
　したがって、本件審判の請求は、平成６年法改正前の特許法第１２６条第３項の規定に違反するものであるので、本件訂正は認められない。
　よって、結論のとおり審決する。